(57)【特許請求の範囲】
【請求項１】
紙幣が排出される排出口と、
紙幣が正常であるか否かを認識する紙幣認識部と、
前記紙幣認識部により異常と認識された紙幣が収納される収納専用収納部と、
を備え、
紙幣の収納および繰り出しが可能な１または２以上の紙幣収納部が、前記紙幣認識部と前記収納専用収納部の間の前記排出口側の第１の経路、および前記第１の経路と逆側の第２の経路のうち、前記第２の経路側にのみ設けられ、
さらに、
出金取引において、前記紙幣収納部から繰り出された紙幣を、前記第２の経路を介して前記紙幣認識部に送るよう搬送を制御する制御部と、
前記第１の経路上に設けられ、前記紙幣を一時的に収納する一時保留部と、を備え、
前記制御部は、前記紙幣認識部によりリジェクトされた前記紙幣を、前記第１の経路を介して前記一時保留部に送り、前記出金取引が終了した後、前記一時保留部に収納した前記紙幣を、前記第１の経路を介して前記収納専用収納部に送るよう搬送を制御する、紙幣処理装置。
【請求項２】
紙幣が排出される排出口と、
紙幣が正常であるか否かを認識する紙幣認識部と、
前記紙幣認識部により異常と認識された紙幣が収納される収納専用収納部と、
を備え、
紙幣の収納および繰り出しが可能な１または２以上の紙幣収納部が、前記紙幣認識部と前記収納専用収納部の間の前記排出口側の第１の経路、および前記第１の経路と逆側の第２の経路のうち、前記第２の経路側にのみ設けられ、
さらに、
排出口回収において、前記紙幣収納部から繰り出された紙幣を前記第２の経路を介して前記紙幣認識部に送るよう搬送を制御する制御部と、
前記第１の経路上に設けられ、前記紙幣を一時的に収納する一時保留部と、を備え、
前記制御部は、前記紙幣認識部によりリジェクトされた前記紙幣を、前記第１の経路を介して前記一時保留部に送り、前記紙幣収納部から全紙幣が繰り出された後、前記一時保留部に収納した前記紙幣を、前記排出口に送るよう搬送を制御する、紙幣処理装置。
【請求項３】
前記制御部は、前記紙幣認識部により正常と認識された紙幣を、前記排出口に送るよう搬送を制御する、請求項１または２に記載の紙幣処理装置。
【発明の詳細な説明】
【技術分野】
【０００１】
本発明は、紙幣処理装置に関する。
【背景技術】
【０００２】
昨今、金融機関の営業店カウンタに設置される窓口用現金処理機に代表される現金処理装置は、紙幣や硬貨の入金／出金取引、および整理計数等に利用される。職員は、この現金処理装置の操作部または、現金処理装置に接続された受付端末（情報処理装置）から各種操作を行なうことにより、入金／出金などの取引を行うことができる。
【０００３】
このような現金処理装置は、２人のテラー（操作者）間に配設されて、紙幣、硬貨の入出金が可能であった。下記特許文献１では、２人のテラー間に配置して使用する場合に、左右どちらのテラーからでも操作し易いよう紙幣入金口等の配置を変更した構造の循環式貨幣処理装置が開示されている。
【０００４】
また、紙幣を取り扱う紙幣処理装置は、下記特許文献１にも記載されているように、紙幣を集積する紙幣収納部を複数備えることで、入金／出金する紙幣を金種に対応して集積することができる。また、入金／出金する紙幣を集積する複数の紙幣収納部とは別に、当該複数の紙幣収納部に紙幣を補充、または当該複数の紙幣収納部から紙幣を回収するために利用される紙幣収納庫と、リジェクト紙幣を集積するリジェクト庫を含むリジェクト庫付き紙幣収納部を備える紙幣処理装置も知られている。紙幣収納庫は、紙幣の集積機能および分離機能といった、紙幣収納部と同様の機能を有している。
【先行技術文献】
【特許文献】
【０００５】
【特許文献１】特開２００１−９３０２２号公報
【発明の概要】
【発明が解決しようとする課題】
【０００６】
しかしながら、補充／回収用の紙幣収納庫は、入金／出金用の紙幣収納部と同様の機能を有しながらも、従来、出金取引等に利用されることはなかった。
【０００７】
通常、紙幣処理装置が出金取引を行う際、紙幣収納部から紙幣を繰り出し、繰り出した紙幣は紙幣認識部により鑑別される。そして、紙幣認識部により異常と鑑別された紙幣（リジェクト紙幣）はリジェクト庫に集積される。このような出金取引において、紙幣収納庫から紙幣を出金する場合を想定すると、紙幣収納庫から紙幣認識部に紙幣を搬送するルートと、紙幣認識部からリジェクト庫に紙幣を搬送するルート（リジェクトルート）が、一部重複してしまうという問題があった。
【０００８】
このように、紙幣収納庫からのリジェクトルートが確保できず、紙幣収納庫を出金取引等に利用することができなかった。
【０００９】
そこで、本発明は、上記問題に鑑みてなされたものであり、本発明の目的とするところは、紙幣収納部から紙幣認識部に紙幣を搬送する経路と重複しないリジェクトルートを確保することが可能な、新規かつ改良された紙幣処理装置を提供することにある。
【課題を解決するための手段】
【００１０】
上記課題を解決するために、本発明のある観点によれば、紙幣が排出される排出口と、紙幣が正常であるか否かを認識する紙幣認識部と、前記紙幣認識部により異常と認識された紙幣が収納される収納専用収納部と、を備え、紙幣の収納および繰り出しが可能な１または２以上の紙幣収納部が、前記紙幣認識部と前記収納専用収納部の間の前記排出口側の第１の経路、および前記第１の経路と逆側の第２の経路のうち、前記第２の経路側にのみ設けられ、さらに、出金取引において、前記紙幣収納部から繰り出された紙幣を、前記第２の経路を介して前記紙幣認識部に送るよう搬送を制御する制御部と、前記第１の経路上に設けられ、前記紙幣を一時的に収納する一時保留部と、を備え、前記制御部は、前記紙幣認識部によりリジェクトされた前記紙幣を、前記第１の経路を介して前記一時保留部に送り、前記出金取引が終了した後、前記一時保留部に収納した前記紙幣を、前記第１の経路を介して前記収納専用収納部に送るよう搬送を制御する、紙幣処理装置が提供される。
【００１４】
また、本発明の他の観点によれば、紙幣が排出される排出口と、紙幣が正常であるか否かを認識する紙幣認識部と、前記紙幣認識部により異常と認識された紙幣が収納される収納専用収納部と、を備え、紙幣の収納および繰り出しが可能な１または２以上の紙幣収納部が、前記紙幣認識部と前記収納専用収納部の間の前記排出口側の第１の経路、および前記第１の経路と逆側の第２の経路のうち、前記第２の経路側にのみ設けられ、さらに、排出口回収において、前記紙幣収納部から繰り出された紙幣を前記第２の経路を介して前記紙幣認識部に送るよう搬送を制御する制御部と、前記第１の経路上に設けられ、前記紙幣を一時的に収納する一時保留部と、を備え、前記制御部は、前記紙幣認識部によりリジェクトされた前記紙幣を、前記第１の経路を介して前記一時保留部に送り、前記紙幣収納部から全紙幣が繰り出された後、前記一時保留部に収納した前記紙幣を、前記排出口に送るよう搬送を制御する、紙幣処理装置が提供される。
【００１６】
また、前記制御部は、前記紙幣認識部により正常と認識された紙幣を、前記排出口に送るよう搬送を制御してもよい。
【発明の効果】
【００１７】
以上説明したように本発明によれば、紙幣収納部から紙幣認識部に紙幣を搬送する経路と重複しないリジェクトルートを確保することが可能である。
【図面の簡単な説明】
【００１８】
【図１】本発明の一実施形態による紙幣処理システムの構成を示した説明図である。
【図２】リジェクトルートの重複を説明するための図である。
【図３】本発明の一実施形態による紙幣処理装置の内部構造を示す図である。
【図４】本発明の一実施形態による紙幣処理装置の機能構成を示すブロック図である。
【図５】入金取引において、紙幣認識部による鑑別結果が正常であった紙幣の搬送経路を示す図である。
【図６】入金取引において、一時保留部に集積された正常紙幣を金種に対応する各紙幣カセットに集積する集積処理における搬送経路を示す図である。
【図７】ダイレクト入金処理において、入金口から繰り出された紙幣が紙幣カセットに直接集積されるまでの搬送経路を示す図である。
【図８】本発明の第１の実施形態による出金取引における紙幣の搬送制御を示すフローチャートである。
【図９】本発明の第１の実施形態による出金取引における紙幣の搬送制御において、正常紙幣の搬送経路を示す図である。
【図１０】本発明の第１の実施形態による出金取引における紙幣の搬送制御において、リジェクト紙幣の搬送経路（リジェクトルート）を示す図である。
【図１１】本発明の第１の実施形態による出金取引における紙幣の搬送制御において、一時保留部に集積されたリジェクト紙幣を収納専用カセットに搬送する搬送経路（リジェクトルート）を示す図である。
【図１２】本発明の第２の実施形態による出金取引における紙幣の搬送制御を示すフローチャートである。
【図１３】本発明の第２の実施形態による出金取引における紙幣の搬送制御において、リジェクト紙幣の搬送経路（リジェクトルート）を示す図である。
【図１４】本発明の第３の実施形態による出金口回収における紙幣の搬送制御を示すフローチャートである。
【図１５】本発明の第３の実施形態による出金口回収における紙幣の搬送制御において、一時保留部に集積されたリジェクト紙幣を排出する搬送経路（リジェクトルート）を示す図である。
【発明を実施するための形態】
【００１９】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２０】
＜１．紙幣処理システムの概要＞
まず、図１を参照し、本発明の一実施形態による紙幣処理システムの概要を説明する。
【００２１】
図１は、本発明の一実施形態による紙幣処理システムの構成を示した説明図である。図１に示したように、紙幣処理システムは、紙幣処理装置１０、紙幣処理装置１０に接続される受付端末３０ａ、３０ｂ、専用網３２、および金融機関ホスト３５を含む。図１に示す例では、紙幣処理装置１０に複数の受付端末３０が接続されているが、本実施形態による紙幣処理システムはこれに限定されず、紙幣処理装置１０に単数の受付端末３０が接続されていてもよい。また、各受付端末３０は、専用網３２を介して金融機関ホスト３５に接続する。
【００２２】
紙幣処理装置１０は、金融機関の受付窓口員などの職員による操作に基づいて金銭の取引を実行する職員操作型端末である。この紙幣処理装置１０は、金融機関の営業店などに設置される。
【００２３】
また、紙幣処理装置１０は、図１に示すように、紙幣を投入する入金口１、紙幣を排出する出金口２、表示部１７、および操作部１９を備える。表示部１７は、メニュー画面や処理結果画面を表示する。表示部１７は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置により実現される。操作部１９は、職員の操作を検出する。操作部１９は、例えば、ボタン、スイッチ、タッチパネル等により実現される。なお、図１においては、表示機能および操作機能が分離して設けられているが、本実施形態により紙幣処理装置１０はこれに限定されず、表示機能および操作機能を一体的に設けてもよい。また、紙幣処理装置１０は、操作検出機能を含む表示部において、職員の操作を誘導する誘導画面を表示させてもよい。
【００２４】
入金口１は、職員が紙幣を投入する投入口である。入金口１には、開口部を開閉するシャッター（不図示）を設けるようにしてもよい。また、入金口１は、束で投入された紙幣を一枚ずつ分離して繰り出す分離機能を有する。
【００２５】
出金口２は、職員が受け取る紙幣が排出される排出口である。出金口２には、開口部を開閉するシャッター（不図示）を設けるようにしてもよい。また、出金口２は、排出する紙幣を集積する集積機能を有する。
【００２６】
受付端末３０は、受付業務を実行する情報処理装置である。受付端末３０は、紙幣処理装置１０と有線または無線により接続し、職員により選択された処理モード（入金／出金取引、出金口回収、整理計数等）を紙幣処理装置１０で実行するよう指示を送る。このように、本実施形態による紙幣処理装置１０の操作は、上記紙幣処理装置１０に設けられた操作部１９の他、紙幣処理装置１０に接続された情報処理装置から行うことも可能である。
【００２７】
専用網３２は、受付端末３０が配置されている営業店、または複数の営業店を含む金融機関におけるネットワークであり、例えばＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ）により構成される。金融機関ホスト３５は、この専用網３２を介して複数の受付端末３０と通信することができる。
【００２８】
金融機関ホスト３５は、専用網３２を介して受付端末３０と、または、受付端末３０を介して紙幣処理装置１０と通信することにより、各種取引を制御する。例えば、金融機関ホスト３５は、顧客の認証を行ったり、職員により指示された入金や振込などの金銭取引（勘定の取引処理）を実行したりする。また、金融機関ホスト３５は、口座番号、暗証番号、氏名、住所、年齢、生年月日、電話番号、職業、家族構成、年収、預金残高などの顧客情報（口座の元帳）を管理する。
【００２９】
本発明の一実施形態は、上述した紙幣処理システムに含まれる紙幣処理装置１０に関し、特に、紙幣処理装置１０における出金取引／出金口回収の際のリジェクトルートの確保に関する。
【００３０】
ここで、出金取引／出金口回収の際のリジェクトルートの問題点について図２を参照して説明する。図２は、リジェクトルートの重複を説明するための図である。図２に示すように、紙幣処理装置１００は、紙幣収納庫２８、および底部にリジェクト庫２９を設けたリジェクト庫付き紙幣カセット７（以下、紙幣カセット７とも称す）を有する。紙幣カセット７は、紙幣処理装置１００に対して着脱可能な構造になっており、個別に交換することで、紙幣の回収および補充が可能である。
【００３１】
紙幣収納庫２８は、紙幣を集積する集積機能および１枚ずつ繰り出す分離機能を有する。紙幣収納庫２８は、カセット計数回収時に各紙幣カセット６Ａ〜６Ｄから分離された紙幣を集積し、紙幣を回収することができる。また、紙幣収納庫２８は、カセット計数補充時に、紙幣収納庫２８内に集積している紙幣を繰り出し、各紙幣カセット６Ａ〜６Ｄに紙幣を補充することができる。
【００３２】
リジェクト庫２９は、紙幣を集積する集積機能のみ有する。リジェクト庫２９は、紙幣認識部４によって異常と鑑別（リジェクト判定）された紙幣（リジェクト紙幣）を集積するための紙幣収納部である。
【００３３】
通常、出金取引においては、まず、指定された金額に応じて紙幣カセット６Ａ〜６Ｄから紙幣が１枚ずつ分離され、分離された紙幣は紙幣認識部４に搬送される。そして、紙幣認識部４による鑑別結果が正常であった紙幣は、出金口２に集積される。一方、紙幣認識部４による鑑別結果が異常であった紙幣、すなわち、顧客に支払いできない紙幣は、リジェクト庫２９に集積される。
【００３４】
このような出金取引において、紙幣収納庫２８から紙幣を出金する場合を想定すると、紙幣認識部４による鑑別結果が正常であった紙幣は、図２の実線で表す搬送経路Ｘで出金口２に集積する。一方、紙幣認識部４による鑑別結果が異常であった紙幣は、図２の破線で表す搬送経路Ｙ（リジェクトルート）でリジェクト庫２９に集積することになるが、搬送経路Ｙの一部が搬送経路Ｘと重複してしまうためにリジェクトルートが確保できず、紙幣収納庫２８を出金取引に利用することができない。
【００３５】
また、紙幣カセット６Ａ〜６Ｄ内に集積される紙幣を出金口２（排出口）に集積して職員に回収させる出金口回収動作（排出口回収動作）においても、紙幣認識部４による鑑別結果が異常であった紙幣は、通常、リジェクト庫２９に集積する。このような出金口回収動作において、紙幣収納庫２８から出金口回収する場合を想定すると、上記出金取引時と同様にリジェクトルートが確保できないという問題が生じる。
【００３６】
そこで、上記事情を一着眼点にして本発明の一実施形態による紙幣処理装置１０を創作するに至った。本発明の一実施形態による紙幣処理装置１０は、集積・分離機能を有する、金種毎に紙幣を収納可能な紙幣カセットから出金または出金口回収する際のリジェクトルートを確保することができる。以下、このような本発明の一実施形態による紙幣処理装置１０の構成および基本動作を説明した後に、本発明の一実施形態によるリジェクトルートの確保について詳細に説明する。
【００３７】
＜２．紙幣処理装置１０の構成および基本動作＞
［２−１．内部構造］
図３は、紙幣処理装置１０の内部構造を示す図である。図３に示したように、紙幣処理装置１０は、入金口１、出金口２、一時保留部３、紙幣認識部４、搬送部５、紙幣カセット６Ａ〜６Ｅ、および収納専用カセット９を有する。
【００３８】
入金口１は、上述した通り、投入された紙幣を１枚ずつ繰り出す分離機能を有する。また、出金口２は、上述した通り、排出する紙幣を集積する集積機能を有する。なお、入金口１および出金口２は、搬送路側に傾くことや、職員による取り出し口側に傾くことが可能な可動式であってもよい。
【００３９】
一時保留部３は、紙幣の分離と集積の両方の機能を有する。例えば、一時保留部３は、入金取引時に入金口１から分離されて紙幣認識部４により正常と鑑別された紙幣を一時的に集積する。一時保留部３に集積された紙幣は、入金した紙幣の口座計上などが確定したなど、取引が成立した場合に繰り出され、紙幣認識部４を経て紙幣カセット６Ａ〜６Ｅなどに搬送される。なお、一時保留部３は、紙幣を順次重ねて集積する集積式であってもよいし、紙幣を順次巻いて収納するドラム式であってもよい。
【００４０】
紙幣認識部４は、１枚ずつ通過していく紙幣の鑑別を行う。紙幣の進行方向は双方向に対応しており、紙幣認識部４は、入金口１方向から搬送される紙幣、およびその逆方向から搬送される紙幣の鑑別を行うことができる。具体的には、紙幣認識部４は、搬送路を通って搬送された紙幣の金種、真偽、正損および走行状態などを鑑別し、通過する紙幣に対して、正常判定またはリジェクト判定を行う。リジェクト判定は、真偽、正損（汚損、損壊、外形異常等）、走行異常（スキュー紙幣、重走等）といった要因に基づいて行われる。また、リジェクト紙幣には、出金紙幣として取り扱えない二千円札および五千円札を含んでもよいし、外国紙幣を含んでもよい。
【００４１】
搬送部５は、紙幣を搬送する各搬送路、各搬送ローラ、および各搬送路を駆動する駆動機構を含む。駆動機構は、例えばＤＣサーボモータまたはパルスモータなどが回転することにより、搬送路を駆動する。搬送部５は、後述する制御部（図４の制御部１１参照）により制御され、紙幣を目的の搬送先に搬送する。
【００４２】
紙幣カセット６Ａ〜６Ｅは、紙幣を金種毎に収納可能な紙幣収納部であって、紙幣の集積および分離の両方の機能を有する。また、紙幣カセット６Ａ〜６Ｅは、同一金種のための複数の紙幣カセットを含んでもよい。例えば、紙幣カセット６Ａおよび６Ｃが一万円札用の紙幣カセットであり、紙幣カセット６Ｂ、６Ｄおよび６Ｅが千円札用の紙幣カセットであってもよい。また、紙幣カセット６Ａ〜６Ｅは、紙幣処理装置１０に対して着脱可能な構造になっており、個別に交換することで紙幣カセット６Ａ〜６Ｅに紙幣を装填することも可能である。
【００４３】
また、本実施形態による紙幣カセット６Ａ〜６Ｅは、図３に示すように、紙幣認識部４と収納専用カセット９の間の出金口２側の第１の経路Ｌ、および第１の経路と紙幣認識部４を挟んで逆側の第２の経路Ｍのうち、第２の経路Ｍ側にのみ設けられる。なお、図３に示す例では、第１の経路Ｌの下流部分と第２の経路Ｍの上流部分が繋がり、第１の経路Ｌと第２の経路Ｍを含む搬送路がループ状になっているが、本実施形態の経路はこれに限定されない。例えば、第１の経路Ｌの下流部分と第２の経路Ｍの上流部分が分断していてもよい。
【００４４】
また、紙幣カセット６Ｅは、カセット計数回収時に各紙幣カセット６Ａ〜６Ｄから分離された紙幣を集積し、紙幣を回収してもよい。また、紙幣カセット６Ｅは、カセット計数補充時に、紙幣カセット６Ｅ内に集積している紙幣を繰り出し、紙幣カセット６Ａ〜６Ｄに紙幣を補充してもよい。
【００４５】
また、本実施形態による紙幣収納部は、紙幣処理装置１０に対して着脱可能なカセットに限定されず、紙幣処理装置１０に対して着脱不可能なスタッカー（紙幣スタッカーＡ〜Ｅ）であってもよい。
【００４６】
収納専用カセット９は、紙幣を集積する集積機能のみ有する収納専用収納部であって、収納専用カセット９は、紙幣認識部４によって異常と鑑別（リジェクト判定）された紙幣（リジェクト紙幣）を集積する。
【００４７】
以上、本実施形態による紙幣処理システムに含まれる紙幣処理装置１０の内部構造について詳細に説明した。続いて、本実施形態による紙幣処理装置１０の機能構成について説明する。
【００４８】
［２−２．機能構成］
図４は、本実施形態による紙幣処理装置１０の機能構成を示すブロック図である。図４に示すように、紙幣処理装置１０は、制御部１１、記憶部１２、表示部１７、および操作部１９を備える。以下、各構成について説明するが、表示部１７および操作部１９は図１を参照して上述したので、ここでの説明は省略する。
【００４９】
制御部１１は、紙幣処理装置１０の動作全般を制御する。具体的には、制御部１１は、入金、出金、回収、および整理計数などの基本動作を制御する。各基本動作の詳細については、次の［２−３．基本動作］において説明する。また、制御部１１は、操作部１９から職員に指示された基本動作、または受付端末３０から職員に指示された基本動作を実行するよう紙幣処理装置１０全体を制御する。
【００５０】
また、本実施形態による制御部１１は、搬送部５を制御することにより、入金、出金、回収、および整理計数などの基本動作において紙幣の搬送を制御する。また、搬送制御部１３は、紙幣認識部４による鑑別結果に応じて紙幣の搬送を制御してもよい。
【００５１】
記憶部１２は、紙幣認識部４による鑑別結果や、入金金額および出金金額等から算出される紙幣処理装置１０の有高等を記憶する。
【００５２】
以上、本実施形態による紙幣処理装置１０の機能構成について説明した。なお、上述した制御部１１、および記憶部１２の機能は、ＣＰＵ（Ｃｅｎｔｒａｌ
Ｐｒｏｃｅｓｓｉｎｇ Ｕｎｉｔ）、ＲＯＭ（Ｒｅａｄ Ｏｎｌｙ Ｍｅｍｏｒｙ）、およびＲＡＭ（Ｒａｎｄｏｍ Ａｃｃｅｓｓ Ｍｅｍｏｒｙ）等から成るハードウェア構成により実現してもよい。ＣＰＵは、演算機能および制御機能を有し、各種プログラムに従って紙幣処理装置１０の動作全般を制御する。ＲＯＭは、ＣＰＵが使用するプログラムや演算パラメータ等を記憶する。ＲＡＭは、ＣＰＵの実行において使用するプログラムや、その実行において適宜変化するパラメータ等を一時記憶する。
【００５３】
［２−３．基本動作］
（入金取引）
入金取引について、図５および図６を参照して説明する。図５は、入金取引において、紙幣認識部４による鑑別結果が正常であった紙幣の搬送経路を示す図である。図６は、入金取引において、一時保留部に集積された正常紙幣を金種に対応する各紙幣カセット６Ａ〜６Ｅに集積する集積処理における搬送経路を示す図である。
【００５４】
入金取引においては、まず、入金口１から紙幣が１枚ずつ分離され、分離された紙幣は紙幣認識部４に搬送される。そして、紙幣認識部４による鑑別結果が正常であった紙幣は、図５の矢印で示す順路を経て、紙幣認識部４から一時保留部３に集積される。一方、紙幣認識部４による鑑別結果が異常であった紙幣（リジェクト紙幣）は、出金口２に集積される。出金口２に集積された紙幣は、職員により再度入金口１に投入されることで、再鑑別が可能である。その後、入金金額が確定されると、集積処理に移行する。
【００５５】
集積処理においては、図６に示すように、まず、一時保留部３から紙幣が１枚ずつ分離され、分離された紙幣が紙幣認識部４に搬送される。そして、紙幣認識部４による鑑別結果が正常であった紙幣は、図６に示すように、金種に対応する紙幣カセット６Ａ〜６Ｅに集積される。一方、一万円札および千円札の汚損券、折れ紙幣、二千円札、五千円札、スキュー紙幣などの走行異常紙幣のように、紙幣認識部４による鑑別結果が異常であった紙幣（リジェクト紙幣）は、収納専用カセット９に集積される。
【００５６】
一方、入金金額が確定する前に、入金紙幣の返却（キャンセル）が指示されると、返却処理に移行する。返却処理においては、まず、一時保留部３から紙幣が１枚ずつ分離され、分離された紙幣が紙幣認識部４に搬送される。そして、紙幣認識部４による鑑別結果が正常／異常いずれであっても、全ての紙幣を出金口２へ集積する。
【００５７】
（補充動作）
補充動作は、紙幣処理装置１０に紙幣を補充する基本動作である。本実施形態による紙幣処理装置１０では、具体的な補充方法として、投入口補充、カセット交換補充、およびカセット計数補充が可能である。以下、各補充方法について順次説明する。
【００５８】
・投入口補充
投入口補充は、上述した入金取引および集積処理における動作と同様である。例えば、入金口１（投入口）から集積された紙幣が１枚ずつ分離され、分離された紙幣は紙幣認識部４に搬送される。そして、紙幣認識部４による鑑別結果が正常であった紙幣は、一時保留部３に退避された後、金種に対応する紙幣カセット６Ａ〜６Ｅに集積される。一方、紙幣認識部４による鑑別結果が異常であった紙幣は、出金口２に集積される。
【００５９】
・カセット交換補充
カセット交換補充においては、紙幣カセット６Ａ〜６Ｅが着脱可能であることを利用し、予め紙幣を装填した紙幣カセットを、紙幣カセット６Ａ〜６Ｅのいずれかと交換することで、紙幣を補充する。なお、カセット交換補充では、補充した紙幣の金種と枚数をオペレータがマニュアルで登録する必要がある。
【００６０】
・カセット計数補充
カセット計数補充においては、紙幣カセット６Ｅに予め紙幣を装填し、紙幣処理装置１０にセットする。そして、紙幣カセット６Ｅから１枚ずつ紙幣が繰り出され、繰り出された紙幣は紙幣認識部４に搬送される。そして、紙幣認識部４による鑑別結果が正常であった紙幣は、金種に対応する紙幣カセット６Ａ〜６Ｄに集積される。一方、紙幣認識部４による鑑別結果が異常であった紙幣は、収納専用カセット９に集積される。このように、カセット計数補充では、紙幣認識部４により計数処理が実行されるので、補充した紙幣の金種および枚数をオペレータがマニュアルで登録する必要はない。
【００６１】
（回収動作）
回収動作は、紙幣処理装置１０内の紙幣を回収する基本動作である。本実施形態による紙幣処理装置１０では、具体的な回収方法として、出金口回収、カセット交換回収、およびカセット計数回収が可能である。出金口回収については、［３−３．第３の実施形態］において詳細に説明する。ここでは、カセット交換回収、およびカセット計数回収について順次説明する。
【００６２】
・カセット交換回収
カセット交換回収においては、紙幣カセット６Ａ〜６Ｅが着脱可能であることを利用し、紙幣が集積された所定の紙幣カセット６を、紙幣処理装置１０から取り外すことで、回収業務を行う。なお、カセット交換回収では、オペレータが、取り外した紙幣カセット６から紙幣を抜き取り、回収した紙幣の金種と枚数をマニュアルで数える必要がある。
【００６３】
・カセット計数回収
カセット計数補充においては、まず、紙幣カセット６Ａ〜６Ｄのうち回収対象の紙幣カセットから１枚ずつ紙幣が繰り出され、繰り出された紙幣は紙幣認識部４に搬送される。そして、紙幣認識部４による鑑別結果が正常であった紙幣は、紙幣カセット６Ｅに集積される。一方、紙幣認識部４による鑑別結果が異常であった紙幣は、収納専用カセット９に集積される。
【００６４】
このような処理が回収対象の紙幣カセットに集積された全紙幣に対して行われた後、オペレータは、紙幣カセット６Ｅおよび収納専用カセット９を紙幣処理装置１０から取り外すことで紙幣を回収することができる。また、カセット計数回収では、紙幣認識部４により計数処理が実行されるので、回収した紙幣の金種および枚数をオペレータがマニュアルで数える必要はない。
【００６５】
以上、紙幣処理装置１０における基本動作について説明した。なお、出金取引については、＜３．各実施形態＞において詳細に説明する。
【００６６】
［２−４．ダイレクト入金］
ここで、入金取引における動作は、入金紙幣を一時保留部３へ退避させた後に、一時保留部３から紙幣カセット６Ａ〜６Ｅに集積する上述した通常の入金処理の他、入金紙幣を一時保留部３へ退避させないで直接紙幣カセット６Ａ〜６Ｅに集積するダイレクト入金処理も可能である。以下、ダイレクト入金処理について図７を参照して説明する。図７は、ダイレクト入金処理において、入金口１から１枚ずつ繰り出された紙幣が紙幣カセット６Ａ〜６Ｅに集積されるまでの搬送経路を示す図である。
【００６７】
ダイレクト入金処理においては、まず、入金口１から紙幣が１枚ずつ分離され、分離された紙幣は紙幣認識部４に搬送される。そして、紙幣認識部４による鑑別結果が正常であった紙幣は、図７の矢印で示す順路を経て、紙幣認識部４から、金種に対応する紙幣カセット６Ａ〜６Ｅに集積される。一方、紙幣認識部４による鑑別結果が異常であった紙幣（リジェクト紙幣）は、出金口２に集積される。出金口２に集積された紙幣は、職員により再度入金口１に投入されることで、再鑑別が可能である。
【００６８】
このように、ダイレクト入金処理では、紙幣を一時保留部３に退避させず、直接紙幣カセット６に集積するので、上記通常の入金処理に比べて入金処理時間を短縮することができる。また、ダイレクト入金処理では、紙幣を一時保留部３に退避させる必要がないので、走行を減らすことができ、これによりジャム発生の確率を下げることができる。また、ダイレクト入金処理によれば、一時保留部３が故障等によって利用できない場合や、一時保留部３を有さない構造においても、入金取引を実現することができる。
【００６９】
また、本実施形態による紙幣処理装置１０は、設定により上述した通常の入金処理またはダイレクト入金処理を選択することができる。
【００７０】
＜３．各実施形態＞
次に、本実施形態によるリジェクトルートの確保について複数の実施形態を挙げて説明する。本実施形態では、紙幣カセット６Ａ〜６Ｅから出金または出金口回収する際のリジェクトルートを確保することで、図２に示す紙幣処理装置１００の構造に比べて、出金取引または出金口回収動作に利用可能な紙幣カセットを増やすことができる。
【００７１】
［３−１．第１の実施形態］
第１の実施形態では、出金取引におけるリジェクトルートの確保について図８〜図１１を参照して説明する。図８は、第１の実施形態による出金取引における紙幣の搬送制御を示すフローチャートである。図９は、第１の実施形態による出金取引における紙幣の搬送制御において、正常紙幣の搬送経路を示す図である。図１０および図１１は、第１の実施形態による出金取引における紙幣の搬送制御において、リジェクト紙幣の搬送経路を示す図である。
【００７２】
図８に示すように、まず、ステップＳ１０３において、職員により出金取引が指示されると、ステップＳ１０６において、制御部１１は、出金する紙幣の金種と枚数に応じて、所定の紙幣カセット６から紙幣を１枚ずつ分離し、分離した紙幣を紙幣認識部４へ送るよう搬送を制御する。
【００７３】
次いで、ステップＳ１０９において、紙幣認識部４は、搬送された紙幣の金種、紙幣状態等を認識する。また、ステップＳ１１２において、紙幣認識部４は、搬送された紙幣が正常であるか否かを鑑別する。
【００７４】
紙幣認識部４により紙幣が正常と鑑別された場合、ステップＳ１１８において、制御部１１は、紙幣を出金口２に集積する。このような正常な紙幣の出金取引における搬送経路を、図９の矢印で示す。図９の矢印で示すように、出金金額に応じて紙幣カセット６Ａ〜６Ｅから繰り出された紙幣は、紙幣認識部４に搬送され、紙幣認識部４により正常と鑑別されると、出金口２に集積される。
【００７５】
一方、紙幣認識部４により紙幣が異常と鑑別された場合、ステップＳ１１５において、制御部１１は、リジェクト紙幣を一時保留部３に集積する。このようなリジェクト紙幣の出金取引における搬送経路（リジェクトルート）を、図１０の矢印で示す。図１０の矢印で示すように、出金金額に応じて紙幣カセット６Ａ〜６Ｅから繰り出された紙幣は、紙幣認識部４に搬送され、紙幣認識部４により異常と鑑別（リジェクト判定）されると、一時保留部３に集積される。
【００７６】
次に、ステップＳ１２１において、出金する全ての金種・枚数の紙幣を出金口２へ集積し終わると（出金取引完了）、ステップＳ１２４において、制御部１１は、一時保留部３に退避させていたリジェクト紙幣を一時保留部３から分離し、収納専用カセット９に集積するよう搬送を制御する。このようなリジェクト紙幣の出金取引における収納専用カセット９への搬送経路（リジェクトルート）を、図１１の矢印で示す。図１１の矢印で示すように、一時保留部３に集積されたリジェクト紙幣は、１枚ずつ一時保留部３から分離され、収納専用カセット９に集積される。
【００７７】
以上説明したように、第１の実施形態では、出金取引において、リジェクト紙幣を一時保留部３に退避させ、出金取引完了後に、一時保留部３に退避させていたリジェクト紙幣を収納専用カセット９に集積するよう搬送を制御することで、リジェクトルートを確保することができる。これにより、本実施形態による紙幣処理装置１０は、紙幣カセット６Ａ〜６Ｅを全て出金取引に利用することができ、図２に示す紙幣処理装置１００に比べて出金取引に利用できる紙幣カセットが増えるので、取り扱う金種を１種類増やすことも可能である。
【００７８】
［３−２．第２の実施形態］
上記第１の実施形態では、出金取引が完了した後、リジェクト紙幣を一時保留部３から収納専用カセット９へ搬送する処理（図８のステップＳ１２４）が必要となる。これに対し、第２の実施形態では、リジェクト紙幣を一時保留部３に退避させず、直接、収納専用カセット９に集積するよう搬送を制御する。
【００７９】
以下、第２の実施形態について、図１２および図１３を参照して説明する。図１２は、第２の実施形態による出金取引における紙幣の搬送制御を示すフローチャートである。図１３は、第１の実施形態による出金取引における紙幣の搬送制御において、リジェクト紙幣の搬送経路（リジェクトルート）を示す図である。
【００８０】
図１２に示すステップＳ１０３〜Ｓ１１２、Ｓ１１８、Ｓ１２１は、上記図８を参照して説明した同ステップの処理と同様である。
【００８１】
図１２に示すステップＳ１１２において、紙幣認識部４により紙幣が異常と鑑別された場合、ステップＳ１２７において、制御部１１はリジェクト紙幣を収納専用カセット９に集積する。このようなリジェクト紙幣の出金取引における搬送経路（リジェクトルート）を、図１３の矢印で示す。図１３の矢印で示すように、出金金額に応じて紙幣カセット６Ａ〜６Ｅから繰り出された紙幣は、紙幣認識部４に搬送され、紙幣認識部４により異常と鑑別（リジェクト判定）されると、収納専用カセット９に集積される。
【００８２】
図３を参照して上述したように、本実施形態による紙幣カセット６Ａ〜６Ｅは、紙幣認識部４と収納専用カセット９の間の第１の出金口２側の第１の経路Ｌの紙幣認識部４を挟んで逆側の第２の経路Ｍのみに設けられる。よって、本実施形態では、図１３に示すように、紙幣カセット６Ａ〜６Ｅから繰り出した紙幣を紙幣認識部４に搬送し、紙幣認識部４により異常と鑑別された紙幣を収納専用カセット９に搬送する経路（リジェクトルート）を確保できる。このように、本実施形態では、紙幣カセット６Ａ〜６Ｅから繰り出した紙幣の搬送を停止することなく収納専用カセット９に搬送することが可能である。
【００８３】
また、本実施形態による紙幣処理装置１０は、紙幣カセット６Ａ〜６Ｅを全て出金取引に利用することができ、図２に示す紙幣処理装置１００に比べて出金取引に利用できる紙幣カセットが増えるので、例えば出金取引に対応できる金種を１種類増やすことが可能である。
【００８４】
［３−３．第３の実施形態］
上記第１、および第２の実施形態では、出金取引におけるリジェクトルートの確保について説明したが、本実施形態はこれに限定されず、例えば出金口回収動作においてもリジェクトルートを確保することができる。出金口回収は、上述した回収動作の一例である。
【００８５】
以下、第３の実施形態について、図１４および図１５を参照して説明する。図１４は、第３の実施形態による出金口回収における紙幣の搬送制御を示すフローチャートである。図１５は、第３の実施形態による出金口回収における紙幣の搬送制御において、リジェクト紙幣の搬送経路（リジェクトルート）を示す図である。
【００８６】
図１５に示すように、まず、ステップＳ１３０において、職員により出金口回収動作が指示されると、ステップＳ１３６において、制御部１１は、回収対象の所定の紙幣カセット６から紙幣を１枚ずつ分離し、分離した紙幣を紙幣認識部４へ送るよう搬送を制御する。
【００８７】
続くステップＳ１０９〜Ｓ１１８は、上記図８を参照して説明した同ステップの処理と同様である。特に、紙幣認識部４により紙幣が異常と鑑別された場合、ステップＳ１１５において、制御部１１は、リジェクト紙幣を一時保留部３に集積する。このようなリジェクト紙幣の出金取引における搬送経路（リジェクトルート）は図１０に示した。
【００８８】
次に、ステップＳ１３３において、回収対象の所定の紙幣カセット６内に集積される全ての紙幣を繰り出しが終了すると、ステップＳ１３６において、制御部１１は、一時保留部３に退避させていたリジェクト紙幣を一時保留部３から分離し、出金口２に集積するよう搬送を制御する。このようなリジェクト紙幣の出金口回収における一時保留部３から出金口２への搬送経路（リジェクトルート）を、図１５の矢印で示す。図１５の矢印で示すように、一時保留部３に集積されたリジェクト紙幣は、１枚ずつ一時保留部３から分離され、出金口２に集積される。
【００８９】
なお、制御部１１は、ステップＳ１３６に示すリジェクト紙幣の出金口２への搬送制御を、出金口２に搬送された正常紙幣が全て職員により回収されたことが検知された場合に行ってもよいし、職員からリジェクト紙幣出金口回収が指示された場合に行ってもよい。
【００９０】
以上説明したように、第３の実施形態では、出金口回収においてリジェクト紙幣を一時保留部３に退避させ、回収対象の紙幣カセット６内の紙幣を全て分離した後、一時保留部３に退避させていたリジェクト紙幣を出金口２に集積するよう搬送を制御することで、リジェクトルートを確保することができる。これにより、本実施形態による紙幣処理装置１０は、紙幣カセット６Ａ〜６Ｅの全てを出金口回収の対象にすることができるので、上述したカセット交換回収やカセット計数回収のように、回収作業時に紙幣カセット６Ａ〜６Ｅを取り外す必要がなくなり、業務時間が短縮される。
【００９１】
また、本実施形態は、一時保留部３に退避させたリジェクト紙幣を出金口２に搬送することで、職員は、リジェクト紙幣を出金口２から回収できる。これにより、上述したカセット計数回収のように、回収作業時に収納専用カセット９を取り外す必要がなくなり、業務時間が短縮される。
【００９２】
＜４．まとめ＞
以上説明したように、本発明の一実施形態によれば、紙幣カセット６Ａ〜６Ｅから紙幣認識部４に紙幣を搬送する経路と重複しないリジェクトルートを確保することが可能である。これにより、紙幣カセット６Ａ〜６Ｅから出金取引／出金口回収を行うことができる。また、図２に示す紙幣処理装置１００に比べて出金取引／出金口回収に利用できる紙幣カセットが増えるので、取り扱う金種を１種類増やすことも可能である。
【００９３】
具体的には、第１の実施形態によれば、出金取引においてリジェクト紙幣を一時保留部３に退避させ、出金取引完了後に、一時保留部３に退避させた紙幣を収納専用カセット９に集積するよう搬送を制御することで、リジェクトルートを確保することが可能である。
【００９４】
また、第２の実施形態によれば、紙幣認識部４から収納専用カセット９にリジェクト紙幣を搬送する経路とは逆側の経路にのみ紙幣カセット６Ａ〜６Ｅを設けることで、リジェクトルートを確保することが可能である。
【００９５】
また、第３の実施形態によれば、出金口回収においてリジェクト紙幣を一時保留部３に退避させ、紙幣カセット６からの紙幣繰り出し終了後に、一時保留部３に退避させた紙幣を出金口２に集積するよう搬送を制御することで、リジェクトルートを確保することが可能である。
【００９６】
なお、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００９７】
例えば、紙幣処理装置１０に内蔵されるＣＰＵ、ＲＯＭおよびＲＡＭなどのハードウェアを、上述した紙幣処理装置１０の制御部１１と同等の機能を発揮させるためのコンピュータプログラムも作成可能である。また、該コンピュータプログラムを記憶させた記憶媒体も提供される。
【００９８】
また、上述した実施形態は、本実施形態による紙幣処理装置１０を、職員操作型端末に適用して説明したが、本実施形態による紙幣処理装置１０は、これに限定されない。例えば、顧客操作型端末であって、紙幣を還流させる（リサイクルさせる）タイプのＡＴＭ（Ａｕｔｏｍａｔｅｄ  ｔｅｌｌｅｒ  ｍａｃｈｉｎｅ）に代表される自動取引装置の現金処理部に適用してもよい。自動取引装置は、銀行、駅構内およびコンビニエンスストアなど、多様な場所に設置されている。顧客は、この自動取引装置に表示される表示画面において各種操作を行うことにより、入金、出金および残高照会などの取引を行うことができる。
【符号の説明】
【００９９】
１      入金口
２      出金口
３      一時保留部
４      紙幣認識部
５      搬送部
６、６Ａ〜６Ｅ    紙幣カセット
７      リジェクト庫付き紙幣カセット
２８      紙幣収納庫
２９      リジェクト庫
９      収納専用カセット
１０    紙幣処理装置
１１    制御部
１２    記憶部
１７    表示部
１９    操作部
３０、３０ａ、３０ｂ    受付端末
３２    専用網
３５    金融機関ホスト
Ｌ      第１の経路
Ｍ      第２の経路
【図１】
0005821585.tif 000002
【図２】
0005821585.tif 000003
【図３】
0005821585.tif 000004
【図４】
0005821585.tif 000005
【図５】
0005821585.tif 000006
【図６】
0005821585.tif 000007
【図７】
0005821585.tif 000008
【図８】
0005821585.tif 000009
【図９】
0005821585.tif 000010
【図１０】
0005821585.tif 000011
【図１１】
0005821585.tif 000012
【図１２】
0005821585.tif 000013
【図１３】
0005821585.tif 000014
【図１４】
0005821585.tif 000015
【図１５】
0005821585.tif 000016